(57)【要約】【課題】静かで塵埃を撒き散らしにくく、風量を増大させることができる送風機を提供する。【解決手段】第一吸入口１１と第一吹出口１２を有する第一ファンケーシング８内に第一横断流ファン９を収容した第一送風部３と、第二吸入口２１と第二吹出口２２を有する第二ファンケーシング１８内に第二横断流ファン１９を収容した第二送風部４とを設け、第一吹出口１２と第二吹出口２２を正面側に開口させると共に、これらの前方にそれぞれ第一導流面１３及び第二導流面２３を設けたことで、横断流ファン９，１９が発生させた主気流Ｖｍがコアンダ効果によって両導流面１３，２３に沿って前方に流れると共に、主気流Ｖｍに伴って従気流Ｖｓが発生するので、主気流Ｖｍよりも多くの風を送ることができると共に、騒音を低く抑え、更に、床等の設置面上の塵埃を撒き散らしにくくすることができる。【選択図】図３
2015197049.tif 000002
【特許請求の範囲】
【請求項１】
吸入口及び吹出口を有するファンケーシング内に横断流ファンを収容して構成された送風部を有し、
前記吹出口を正面側に開口するように設けると共に、前記吹出口の下流側に導流面を設けたことを特徴とする送風機。
【請求項２】
前記送風部を一対設け、これらの送風部を面対称状に構成すると共に、前記送風部間を、前後に開放した流通空間としたことを特徴とする請求項１記載の送風機。
【請求項３】
前記吹出口を、前記送風部同士の間隔が最狭となる位置よりも上流で開放させたことを特徴とする請求項２記載の送風機。
【請求項４】
前記送風部に対し間隔を空けて隔壁を設けると共に、前記送風部と隔壁との間を、前後に開放した流通空間としたことを特徴とする請求項１記載の送風機。
【請求項５】
前記吹出口を、前記送風部と隔壁との間隔が最狭となる位置よりも上流で開放させたことを特徴とする請求項４記載の送風機。
【発明の詳細な説明】
【技術分野】
【０００１】
本発明は、扇風機等の送風機に関するものである。
【背景技術】
【０００２】
従来、この種の送風機としては、モータ（電動機）及びこのモータに取り付けられた混流インペラとが収容された基部と、出口及びコアンダ面が設けられた環状のノズルとを有し、前記混流インペラの回転によって生じた一次空気流を前記出口から噴出させることで、一次空気流が前記コアンダ面に沿って流れると共に、この一次空気流に伴って二次空気流が生じ、これによって風量を増大させることができるものが知られている（例えば、特許文献１参照。）。このような送風機は、回転する前記混流インペラが露出しないので、安全である。
【先行技術文献】
【特許文献】
【０００３】
【特許文献１】特許５０３０１０６号公報
【発明の概要】
【発明が解決しようとする課題】
【０００４】
しかしながら、このような送風機は、以下のような欠点を有する。まず、前記混流インペラを前記基部に収容する必要があるため、前記混流インペラの径を大きくすることができない。このため、必要な風量を得るために、前記混流インペラを高速回転させなければならない。従って、前記混流インペラを回転させた際の騒音が大きくなるという問題があった。次に、前記混流インペラの回転によって生じる気流は、前記基部から吸引され、前記ノズルの出口から排出される。そして、前記基部は、床等に置かれる。従って、床付近にある塵埃が前記基部内に吸引され、前記ノズルの出口から撒き散らされるという問題があった。なお、この問題は、前記基部の空気入口にフィルタを設けることで、一応解決することができるが、フィルタが塵埃によって目詰まりすると、風量が低下するばかりでなく、前記モータに過大な負荷がかかるという別の問題が生ずる。
【０００５】
本発明は以上の問題点を解決し、静かで且つ塵埃を撒き散らしにくいと共に、風量を増大させることができる送風機を提供することを目的とする。
【課題を解決するための手段】
【０００６】
本発明の請求項１に記載の送風機は、吸入口及び吹出口を有するファンケーシング内に横断流ファンを収容して構成された送風部を有し、前記吹出口を正面側に開口するように設けると共に、前記吹出口の下流側に導流面を設けたものである。
【０００７】
また、本発明の請求項２に記載の送風機は、請求項１において、前記送風部を一対設け、これらの送風部を面対称状に構成すると共に、前記送風部間を、前後に開放した流通空間としたものである。
【０００８】
また、本発明の請求項３に記載の送風機は、請求項２において、前記吹出口を、前記送風部同士の間隔が最狭となる位置よりも上流で開放させたものである。
【０００９】
また、本発明の請求項４に記載の送風機は、請求項１において、前記前記送風部に対し間隔を空けて隔壁を設けると共に、前記送風部と隔壁との間を、前後に開放した流通空間としたものである。
【００１０】
更に、本発明の請求項５に記載の送付機は、請求項４において、前記吹出口を、前記送風部と隔壁との間隔が最狭となる位置よりも上流で開放させたものである。
【発明の効果】
【００１１】
本発明の請求項１に記載の送風機は、以上のように構成することにより、前記横断流ファンが発生させた主気流が、前記吹出口から前方に排出された後、コアンダ効果によって前記導流面に沿って層状の噴流として流れると共に、主気流に伴って従気流が発生する。このため、前記横断流ファンが発生させる主気流に比べて、多くの流量の風を送ることができる。また、比較的静かな横断流ファンを用いることで、騒音を低く抑えることができる。更に、室内の比較的高い位置で外気を両吸入口から吸引するので、床面上の塵埃を撒き散らしにくくすることができる。
【００１２】
なお、前記送風部を一対設け、これらの送風部を面対称状に構成すると共に、前記送風部間を、前後に開放した流通空間とすることで、発生する従気流が左右の何れかに偏りにくくすることができるばかりでなく、前記流通空間の上流側から外気が流入して下流側に流れるので、効率よく従気流を発生させることができる。
【００１３】
また、前記吹出口を、前記送風部同士の間隔が最狭となる位置よりも上流で開放させることで、前記導流面に沿って流れる主気流が従気流を引き込み易くすると共に、前記流通空間の下流側に低圧領域が作り出されるので、効率的に従気流を発生させることができる。
【００１４】
また、前記送風部に対し間隔を空けて隔壁を設けると共に、前記送風部と隔壁との間を、前後に開放した流通空間としたことで、前記流通空間の上流側から外気が流入して下流側に流れるので、効率よく従気流を発生させることができる。
【００１５】
更に、前記吹出口を、前記送風部と隔壁との間隔が最狭となる位置よりも上流で開放させることで、前記導流面に沿って流れる主気流が従気流を引き込み易くすると共に、前記流通空間の下流側に低圧領域が作り出されるので、効率的に従気流を発生させることができる。
【図面の簡単な説明】
【００１６】
【図１】本発明の第一の実施形態を示す送風機の斜視図である。
【図２】同、正面図である。
【図３】同、Ａ−Ａ拡大断面図である。
【図４】同、第一及び第二横断流ファンの駆動構造を示す説明図である。
【図５】同、主気流及び従気流を示す斜視図である。
【図６】本発明の第二の実施形態を示す送風機の斜視図である。
【図７】同、正面図である。
【図８】同、Ｂ−Ｂ拡大断面図である。
【図９】同、第一及び第二横断流ファンの駆動構造を示す説明図である。
【図１０】同、主気流及び従気流を示す斜視図である。
【図１１】本発明の第三の実施形態を示す送風機の斜視図である。
【図１２】同、正面図である。
【図１３】同、Ｃ−Ｃ拡大断面図である。
【図１４】同、横断流ファンの駆動構造を示す説明図である。
【図１５】同、主気流及び従気流を示す斜視図である。
【図１６】本発明の第四の実施形態を示す送風機の斜視図である。
【図１７】同、正面図である。
【図１８】同、Ｄ−Ｄ拡大断面図である。
【図１９】同、横断流ファンの駆動構造を示す説明図である。
【図２０】同、主気流及び従気流を示す斜視図である。
【図２１】本発明の第五の実施形態を示す送風機の斜視図である。
【図２２】同、正面図である。
【図２３】同、Ｅ−Ｅ拡大断面図である。
【図２４】同、横断流ファンの駆動構造を示す説明図である。
【図２５】同、主気流及び従気流を示す斜視図である。
【発明を実施するための形態】
【００１７】
以下、本発明の第一の実施形態について、図１乃至図５に基づいて説明する。１は本発明の送風機である。この送風機１は、基部２と、第一送風部３と、第二送風部４と、頭部５とを有して構成される。なお、前記第一送風部３と第二送風部４は、それぞれ縦長に構成されると共に、正面視で間隙Ｇを有して左右に並んで設けられる。そして、前記第一送風部３と第二送風部４との間には、前後に貫通した流通空間Ｐが形成される。また、前記第一送風部３と第二送風部４は、対称面Ｓを基準として、実質的に面対称となる。
【００１８】
前記基部２は、床Ｆ等の設置面に設置されるように構成される。また、前記基部２内には、第一電動機６及び第二電動機７が収容される。
【００１９】
前記第一送風部３は、前記基部２の上部左側に設けられる。そして、前記第一送風部３は、縦長の第一ファンケーシング８、及び第一横断流ファン９を有する。前記第一ファンケーシング８は、内部にファン収容室１０を有すると共に、縦長の第一吸入口１１及び縦長の第一吹出口１２を有する。なお、前記第一吸入口１１は、前記第一ファンケーシング８の後部において、反対称面Ｓ側に偏って設けられる。一方、前記第一吹出口１２は、前記第一送風部３と第二送風部４との間隔Ｇが最も狭くなる位置よりもやや後方において、前方に向けて開口する。そして、前記第一吹出口１２の下流側（即ち前方）には、第一導流面１３が形成される。また、前記第一吹出口１２には、気流を前記第一導流面１３に導くための第一導向部１４が形成される。前記第一導流面１３は、前記第一吹出口１２の反対称面Ｓ側に設けられる。また、前記第一導流面１３は、後述する第二導流面２３との間隔が前方ほど広がると共に、先端において主気流Ｖｍがほぼ真正面に向けて流れるように、上流側が凸状で下流側が凹状となる滑らかな曲面に形成される。更に、前記第一導流面１３の反対称面Ｓ側には、第一案内面１５が近接して形成される。なお、この第一案内面１５は、対称面Ｓとほぼ平行に形成される。そして、前記ファン収容室１０内に、前記第一横断流ファン９が収容される。この第一横断流ファン９は、複数のフィンが環状に並べられて、全体として細長い円筒状に形成され、回転軸Ｘ１が垂直となるように設けられると共に、前記基部２内の第一電動機６に接続される。なお、前記第一吸入口１１には、使用者の指等が前記第一横断流ファン９に触れないようにするためのルーバ１６が設けられる。また、前記第一導流面１３は、前記第一吹出口１２の回転軸Ｘ１側に設けられると共に、前記第一導向部１４は、前記第一吹出口１２の遠心側に設けられる。
【００２０】
前記第二送風部４は、前記基部２の上部右側に設けられる。そして、前記第二送風部４は、縦長の第二ファンケーシング１８、及び第二横断流ファン１９を有する。前記第二ファンケーシング１８は、内部にファン収容室２０を有すると共に、縦長の第二吸入口２１及び縦長の第二吹出口２２を有する。なお、前記第二吸入口２１は、前記第二ファンケーシング１８の後部において、反対称面Ｓ側に偏って設けられる。一方、前記第二吹出口２２は、前記第一送風部３と第二送風部４との間隔Ｇが最も狭くなる位置よりもやや上流側（即ち後方）において、前方に向けて開口する。そして、前記第二吹出口２２の下流側（即ち前方）には、第二導流面２３が形成される。また、前記第二吹出口２２には、気流を前記第二導流面２３に導くための第二導向部２４が形成される。前記第二導流面２３は、前記第二吹出口２２の反対称面Ｓ側に設けられる。また、前記第二導流面２３は、前記第一導流面１３との間隔が前方ほど広がると共に、先端において主気流Ｖｍがほぼ真正面に向けて流れるように、上流側が凸状で下流側が凹状となる滑らかな曲面に形成される。更に、前記第二導流面２３の反対称面Ｓ側には、第二案内面２５が近接して形成される。なお、この第二案内面２５は、対称面Ｓとほぼ平行に形成される。そして、前記ファン収容室２０内に、前記第二横断流ファン１９が収容される。この第二横断流ファン１９は、複数のフィンが環状に並べられて、全体として細長い円筒状に形成され、回転軸Ｘ２が垂直となるように設けられると共に、前記基部２内の第二電動機７に接続される。なお、前記第二吸入口２１には、使用者の指等が前記第二横断流ファン１９に触れないようにするためのルーバ２６が設けられる。また、前記第二導流面２３は、前記第二吹出口２２の回転軸Ｘ２側に設けられると共に、前記第二導向部２４は、前記第二吹出口２２の遠心側に設けられる。
【００２１】
前述した通り、前記第一送風部３と第二送風部４は、対称面Ｓを基準として、実質的に面対称となる。従って、前記第一ファンケーシング８の形状と第二ファンケーシング１８の形状は、左右が逆の構造となる。具体的には、前記第一ファンケーシング８は、前記第一吸入口１１が、反対称面Ｓ側である左側に偏って形成される。これに対し、前記第二ファンケーシング１８は、前記第二吸入口２１が、反対称面Ｓ側である右側に偏って形成される。また、前記第一ファンケーシング８は、前記第一吹出口１２が、対称面Ｓ側である右側に形成される。これに対し、前記第二ファンケーシング１８は、前記第二吹出口２２が、対称面Ｓ側である左側に形成される。また、前記第一ファンケーシング８は、前記第一導流面１３が、前記第一吹出口１２の対称面Ｓ側である右側から反対称面Ｓ側である左側に向けて、湾曲して形成される。これに対し、前記第二ファンケーシング１８は、前記第二導流面２３が、前記第二吹出口２２の対称面Ｓ側である右側から反対称面Ｓ側である右側に向けて、湾曲して形成される。更に、前記第一ファンケーシング８は、前記第一案内面１５が、前記第一導流面１３の反対称面Ｓ側である左側に近接して形成される。これに対し、前記第二ファンケーシング１８は、前記第二案内面２５が、前記第二導流面２３の反対称面Ｓ側である右側に近接して形成される。また、前記第一横断流ファン９と第二横断流ファン１９も、対称面Ｓを基準として実質的に面対称となる（なお、前記第一横断流ファン９と第二横断流ファン１９の位相差は考慮しない。）。即ち、前記第一横断流ファン９と第二横断流ファン１９は、フィンの形成方向が逆であると共に、前記第一横断流ファン９の回転方向が平面視で右回りであり、前記第二横断流ファン１９の回転方向が平面視で左回りである。なお、前記両吸入口１１，２１は、本実施形態のように、後方斜め外側を向くように開口するのが好ましい。これは、後方斜め外側から前記両吸入口１１，２１に主気流Ｖｍとして外気を吸引すれば、前記送風機１の後方の広い範囲から前記両送風部３，４間に規定された流通空間Ｐに、より多くの空気を内側従気流Ｖｓｉとして吸引することができるからである。
【００２２】
前記頭部５は、前記第一送風部３の上端部と前記第二送風部４の上端部とを接続するように設けられる。そして、前記頭部５には、操作部２８が設けられる。
【００２３】
次に、本実施形態の作用について説明する。使用者が前記操作部２８を操作して、前記送風機１の運転を開始すると、前記両電動機６，７が作動する。これらの電動機６，７が作動することによって、前記両送風部３，４の横断流ファン９，１９が、回転軸Ｘ１，Ｘ２を中心に回転する。前述した通り、前記第一横断流ファン９は、平面視で右回りに回転する。これに対し、前記第二横断流ファン１９は、平面視で左回りに回転する。なお、前記第一横断流ファン９の回転数は、前記第二横断流ファン１９の回転数と同じである。前記第一横断流ファン９が回転することで、外気が前記第一吸入口１１から吸引され、第一吹出口１２から勢いよく吹き出す。この第一吹出口１２から吹き出した気流は、図３に示すように、コアンダ効果によって、前記流通空間Ｐ内で前記第一導流面１３に沿って一旦やや内向きに流れた後、滑らかに方向を変え、前記第一導流面１３に沿って外側に流れ、更に、前記第一導流面１３の先端付近において、ほぼ真正面に流れる。なお、前記第一吹出口１２から吹き出す気流は、前記第一導向部１４によって前記第一導流面１３に向けられるので、この第一導流面１３に確実に沿わせることができる。同様に、前記第二横断流ファン１９が回転することで、外気が前記第二吸入口２１から吸引され、第二吹出口２２から勢いよく吹き出す。この第二吹出口２２から吹き出した気流も、図３に示すように、コアンダ効果によって、前記流通空間Ｐ内で前記第二導流面２３に沿って一旦やや内向きに流れた後、滑らかに方向を変え、前記第二導流面２３に沿って外側に流れ、更に、前記第一導流面２３の先端付近において、ほぼ真正面に流れる。なお、前記第二吹出口２２から吹き出す気流も、前記第二導向部２４によって前記第二導流面２３に向けられるので、この第二導流面２３に確実に沿わせることができる。このように、前記両送風部３，４が、それぞれ主気流Ｖｍを発生させる。
【００２４】
なお、前述した通り、前記両吸入口１１，２１が、それぞれ縦長に形成されるので、外気が上下方向の広い範囲から吸引される。このため、床Ｆ等の設置面上にある塵埃が多く吸引されて捲き散らかされるということがない。また、前記主気流Ｖｍの発生源が、比較的動作音の小さな前記両横断流ファン９，１９であることから、騒音を低く抑えることができる。更に、前述した通り、前記両吸入口１１，２１が、それぞれ反対称面Ｓ側（即ち外側）に偏って設けられることで、前記両横断流ファン９，１９は、それぞれ対称面Ｓに対し後方斜め外側から外気を吸引する。
【００２５】
そして、前記両送風部３，４が、それぞれ主気流Ｖｍを発生させることで、これらの主気流Ｖｍに伴って、従気流Ｖｓが発生する。この従気流Ｖｓは、前記流通空間Ｐを流通する内側従気流Ｖｓｉと、前記両送風部３，４の反対称面Ｓ側（即ち外側）を流通する外側従気流Ｖｓｏとからなる。そして、前述した通り、前記両横断流ファン９，１９が、それぞれ対称面Ｓに対し後方斜め外側から外気を吸引するので、前記流通空間Ｐの後方の外気が、前記両吸入口１１，２１から吸引されず、内側従気流Ｖｓｉとして前記流通空間Ｐを通過することができる。また、前記両導流面１３，２３に沿って前記主気流Ｖｍが流れることで、前記両導流面１３，２３に沿う主気流Ｖｍに引きずられるように、前記内側従気流Ｖｓｉが発生する。同時に、前記両導流面１３，２３に沿って前記主気流Ｖｍが流れることで、前記流通空間Ｐの最狭部よりも下流側に低圧領域が作り出され、前記流通空間Ｐの上流側（即ち後方）から流通空間Ｐに外気が流入する。このように、前記両導流面１３，２３に沿って前記主気流Ｖｍが流れることで、前記各吹出口１２，２２から吹き出されるだけの場合に比べ、大きな風量を発生させることができる。また、前述した通り、前記両導流面１３，２３の反対称面Ｓ側（即ち外側）に、それぞれ第一案内面１５、第二案内面２５を近接して設けたことで、前記両ファンケーシング８，１８の外側で発生した外側従気流Ｖｓｏが前記両案内面１５，２５に沿って流れるので、外側従気流Ｖｓｏを前記両導流面１３，２３に沿って排出される主気流Ｖｍとスムーズに合流させることができるばかりでなく、両導流面１３，２３の先端部における主気流Ｖｍの乱れを抑制することができる。更に、前述した通り、前記両送風部３，４が対称面Ｓを基準として面対称であることから、前記流通空間Ｐを通過する内側従気流Ｖｓｉは、前記第一送風部３側と第二送風部４側とでほぼ均等になる。同様に、外側従気流Ｖｓｏもまた、前記第一送風部３側と第二送風部４側とでほぼ均等になる。従って、従気流Ｖｓの発生に偏りが生じにくくすることができる。
【００２６】
なお、図５では、説明の簡略化のために、前記第一送風部３が発生させる主気流Ｖｍ及び従気流Ｖｓのみを記載したが、前記第二送風部４においても、同様に主気流Ｖｍ及び従気流Ｖｓが発生する。
【００２７】
以上のように、本実施形態の送風機１は、第一吸入口１１と第一吹出口１２を有する第一ファンケーシング８内に第一横断流ファン９を収容して構成された第一送風部３と、第二吸入口２１と第二吹出口２２を有する第二ファンケーシング１８内に第二横断流ファン１９を収容して構成された第二送風部４とを、所定の間隔Ｇを置いて設け、前記第一吹出口１２と第二吹出口２２とを何れも正面側に開口するように設けると共に、前記第一吹出口１２及び第二吹出口２２の下流側である前方にそれぞれ第一導流面１３及び第二導流面２３を設けたことで、両横断流ファン９，１９が発生させた主気流Ｖｍが、両吹出口１２，２２から前方に吹き出した後、コアンダ効果によって両導流面１３，２３に沿って流れると共に、主気流Ｖｍに伴って従気流Ｖｓが両送風部３，４間の流通空間Ｐ及び両送風部３，４の外側において発生するので、主気流Ｖｍよりも多くの流量の風を送ることができると共に、騒音を低く抑えることができ、更に、床Ｆ等の設置面上の塵埃を撒き散らしにくくすることができるものである。
【００２８】
また、対称面Ｓを基準として、前記第一送風部３と第二送風部４とを実質的に面対称とすると共に、前記両送風部３，４間を、前後に開放した流通空間Ｐとすることで、前記両送風部３，４間の流通空間Ｐにおいて従気流Ｖｓの発生に偏りが生じにくくすることができるばかりでなく、前記流通空間Ｐの上流側から外気が流入して下流側に流れるので、効率よく従気流Ｖｓを発生させることができるものである。
【００２９】
また、前記第一吹出口１２及び第二吹出口２２を、前記両送風部３，４同士の間隔が最狭となる位置よりも上流で開放させることで、前記両導流面１３，２３に沿って流れる主気流Ｖｍが内側従気流Ｖｓｉを引き込み易くすると共に、前記流通空間Ｐの最狭部よりも下流側に低圧領域が作り出されるので、効率的に内側従気流Ｖｓｉを発生させることができるものである。
【００３０】
また、本実施形態における効果として、前記第一吸入口１１及び第二吸入口２１を、対称面Ｓに対し外向きに設けることで、両送風部３，４間の外気が両吸引口１１，２１から吸引されにくくできるので、両送風部３，４間からより多くの空気を内側従気流Ｖｓｉとして前方に送ることで、流量をより増大させることができるものである。
【００３１】
更に、本実施形態における効果として、前記第一導流面１３の反対称面Ｓ側に近接して、対称面Ｓとほぼ平行な第一案内面１５を設けると共に、前記第二導流面２３の反対称面Ｓ側に近接して、対称面Ｓとほぼ平行な第二案内面２５を設けることで、両送風部３，４の外側で発生した外側従気流Ｖｓｏを、前記両導流面１３，２３に沿って排出される主気流Ｖｍとスムーズに合流させることができるばかりでなく、両導流面１３，２３の端部における主気流Ｖｍの乱れを抑制することができるものである。
【００３２】
次に、本発明の第二の実施形態について、図６乃至図１０に基づいて説明する。３１は本発明の送風機である。この送風機３１は、基部２と、第一送風部３３と、第二送風部３４と、頭部５とを有して構成される。なお、前記第一送風部３３と第二送風部３４は、それぞれ縦長に構成されると共に、正面視で間隙Ｇを有して左右に並んで設けられる。また、前記第一送風部３３と第二送風部３４は、対称面Ｓを基準として、実質的に面対称となる。
【００３３】
前記基部２は、床Ｆ等の設置面に設置されるように構成される。また、前記基部２内には、第一電動機６及び第二電動機７が収容される。
【００３４】
前記第一送風部３３は、前記基部２の上部左側に設けられる。そして、前記第一送風部３３は、縦長の第一ファンケーシング３８、及び第一横断流ファン３９を有する。前記第一ファンケーシング３８は、内部にファン収容室４０を有すると共に、後部に縦長の第一吸入口４１を有し、前部に縦長の第一吹出口４２を有する。前記第一吹出口４２は、前方に向けて開口すると共に、その下流側（即ち前方）には、縦長の第一導流面４３が形成される。この第一導流面４３は、前記第一吹出口４２の反対称面Ｓ側に設けられる。また、前記第一導流面４３は、後述する第二導流面５３との間隔が前方ほど広がると共に、先端において主気流Ｖｍがほぼ真正面に向けて流れるように、上流側が凸状で下流側が凹状となる滑らかな曲面に形成される。そして、前記第一導流面４３の凸状部分は、前記第一吹出口４２の近傍における対称面Ｓ側の側面４４の仮想延長面よりもやや突出する。更に、前記第一導流面４３の反対称面Ｓ側には、第一案内面４５が近接して形成される。なお、この第一案内面４５は、対称面Ｓとほぼ平行に形成される。そして、前記ファン収容室４０内に、前記第一横断流ファン３９が収容される。この第一横断流ファン３９は、複数のフィンが環状に並べられて、全体として細長い円筒状に形成され、回転軸Ｘ３が垂直となるように設けられると共に、前記基部２内の第一電動機６に接続される。なお、前記第一吸入口４１には、使用者の指等が前記第一横断流ファン３９に触れないようにするためのルーバ４６が設けられる。また、前記第一導流面４３は、前記第一吹出口４２の遠心側に設けられる。
【００３５】
前記第二送風部３４は、前記基部２の上部右側に設けられる。そして、前記第二送風部３４は、縦長の第二ファンケーシング４８、及び第二横断流ファン４９を有する。前記第二ファンケーシング４８は、内部にファン収容室５０を有すると共に、後部に縦長の第二吸入口５１を有し、前部に縦長の第二吹出口５２を有する。前記第二吹出口５２は、前方に向けて開口すると共に、その下流側（即ち前方）には、縦長の第二導流面５３が形成される。この第二導流面５３は、前記第二吹出口５２の反対称面Ｓ側に設けられる。また、前記第二導流面５３は、第一導流面４３との間隔が前方ほど広がると共に、先端において主気流Ｖｍがほぼ真正面に向けて流れるように、上流側が凸状で下流側が凹状となる滑らかな曲面に形成される。そして、前記第二導流面５３の凸状部分は、前記第二吹出口５２の近傍における対称面Ｓ側の側面５４の仮想延長面よりもやや突出する。更に、前記第二導流面５３の反対称面Ｓ側には、第二案内面５５が近接して形成される。なお、この第二案内面５５は、対称面Ｓとほぼ平行に形成される。そして、前記ファン収容室５０内に、前記第二横断流ファン４９が収容される。この第二横断流ファン４９は、複数のフィンが環状に並べられて、全体として細長い円筒状に形成され、回転軸Ｘ４が垂直となるように設けられると共に、前記基部２内の第二電動機７に接続される。なお、前記第二吸入口５１には、使用者の指等が前記第二横断流ファン４９に触れないようにするためのルーバ５６が設けられる。また、前記第二導流面５３は、前記第二吹出口５２の遠心側に設けられる。
【００３６】
前述した通り、前記第一送風部３３と第二送風部３４は、対称面Ｓを基準として、実質的に面対称となる。従って、前記第一ファンケーシング３８の形状と第二ファンケーシング４８の形状は、左右が逆の構造となる。具体的には、前記第一ファンケーシング３８は、前記第一吹出口４２が、やや反対称面Ｓ側である左側に偏って形成される。これに対し、前記第二ファンケーシング４８は、前記第二吹出口５２が、やや反対称面Ｓ側である右側に偏って形成される。また、前記第一ファンケーシング３８は、前記第一導流面４３が、前記第一吹出口４２の反対称面Ｓ側である左側に、湾曲して形成される。これに対し、前記第二ファンケーシング４８は、前記第二導流面５３が、前記第二吹出口５２の反対称面Ｓ側である右側に、湾曲して形成される。更に、前記第一ファンケーシング３８は、前記第一案内面４５が、前記第一導流面４３の反対称面Ｓ側である左側に近接して形成される。これに対し、前記第二ファンケーシング４８は、前記第二案内面５５が、前記第二導流面５３の反対称面Ｓ側である右側に近接して形成される。また、前記第一横断流ファン３９と第二横断流ファン４９も、対称面Ｓを基準として実質的に面対称となる（なお、前記第一横断流ファン３９と第二横断流ファン４９の位相差は考慮しない。）。即ち、前記第一横断流ファン３９と第二横断流ファン４９は、フィンの形成方向が逆であると共に、前記第一横断流ファン３９の回転方向が平面視で左回りであり、前記第二横断流ファン４９の回転方向が平面視で右回りである。
【００３７】
前記頭部５は、前記第一送風部３３の上端部と前記第二送風部３４の上端部とを接続するように設けられる。そして、前記頭部５には、操作部２８が設けられる。
【００３８】
なお、本実施形態と第一の実施形態との相違点は、横断流ファンの回転方向と、導流面の形成位置である。即ち、本実施形態では、前記第一横断流ファン３９の回転方向が平面視で左回りであり、前記第二横断流ファン４９の回転方向が平面視で右回りであるのに対し、第一の実施形態では、前記第一横断流ファン９の回転方向が平面視で右回りであり、前記第二横断流ファン１９の回転方向が平面視で左回りである。また、本実施形態では、前記第一導流面４３と第二導流面５３が、それぞれ、前記第一吹出口４２と第二吹出口５２の遠心側に設けられるのに対し、第一の実施形態では、前記第一導流面１３と第二導流面２３が、それぞれ、前記第一吹出口１２と第二吹出口２２の回転軸Ｘ１，Ｘ２側に設けられる。
【００３９】
次に、本実施形態の作用について説明する。使用者が前記操作部２８を操作して、前記送風機３１の運転を開始すると、前記両電動機６，７が作動する。これらの電動機６，７が作動することによって、前記両送風部３３，３４の横断流ファン３９，４９が、回転軸Ｘ３，Ｘ４を中心に回転する。前述した通り、前記第一横断流ファン３９は、平面視で左回りに回転する。これに対し、前記第二横断流ファン４９は、平面視で右回りに回転する。なお、前記第一横断流ファン３９の回転数は、前記第二横断流ファン４９の回転数と同じである。前記第一横断流ファン３９が回転することで、外気が前記第一吸入口４１から吸引され、第一吹出口４２から勢いよく吹き出す。この第一吹出口４２から吹き出した気流は、図８に示すように、コアンダ効果によって、前記両送風部３３，３４間に規定された流通空間Ｐ内で前記第一導流面４３に沿って外側に流れ、更に、前記第一導流面４３の先端付近において、ほぼ真正面に流れる。同様に、前記第二横断流ファン４９が回転することで、外気が前記第二吸入口５１から吸引され、第二吹出口５２から勢いよく吹き出す。この第二吹出口５２から吹き出した気流も、図８に示すように、コアンダ効果によって、前記流通空間Ｐ内で前記第二導流面５３に沿って外側に流れ、更に、前記第二導流面５３の先端付近において、ほぼ真正面に流れる。このように、前記両送風部３３，３４が、それぞれ主気流Ｖｍを発生させる。
【００４０】
なお、前述した通り、前記両吸入口４１，５１が、それぞれ縦長に形成されるので、外気が上下方向の広い範囲から吸引される。このため、床Ｆ等の設置面上にある塵埃が多く吸引されて捲き散らかされるということがない。また、前記主気流Ｖｍの発生源が、比較的動作音の小さな前記両横断流ファン３９，４９であることから、騒音を低く抑えることができる。
【００４１】
そして、前記両送風部３３，３４が、それぞれ主気流Ｖｍを発生させることで、これらの主気流Ｖｍに伴って、従気流Ｖｓが発生する。この従気流Ｖｓは、前記流通空間Ｐを流通する内側従気流Ｖｓｉと、前記両送風部３３，３４の反対称面Ｓ側（即ち外側）を流通する外側従気流Ｖｓｏとからなる。そして、前記両横断流ファン３９，４９が、それぞれ後方から外気を吸引すると共に、前記流通空間Ｐの後方の外気の一部が、内側従気流Ｖｓｉとして前記流通空間Ｐを通過する。また、前記両導流面４３，５３に沿って前記主気流Ｖｍが流れることで、前記両導流面４３，５３に沿う主気流Ｖｍに引きずられるように、前記内側従気流Ｖｓｉが発生する。同時に、前記両導流面４３，５３に沿って前記主気流Ｖｍが流れることで、前記流通空間Ｐの最狭部よりも下流側に低圧領域が作り出され、前記流通空間Ｐの上流側（即ち後方）から流通空間Ｐに外気が流入する。このように、前記両導流面４３，５３に沿って前記主気流Ｖｍが流れることで、前記各吹出口４２，５２から吹き出されるだけの場合に比べ、大きな風量を発生させることができる。また、前述した通り、前記両導流面４３，５３の反対称面Ｓ側（即ち外側）に、それぞれ第一案内面４５、第二案内面５５を近接して設けたことで、前記両ファンケーシング３８，４８の外側で発生した外側従気流Ｖｓｏが前記両案内面４５，５５に沿って流れるので、外側従気流Ｖｓｏを前記両導流面４３，５３に沿って排出される主気流Ｖｍとスムーズに合流させることができるばかりでなく、両導流面４３，５３の端部における主気流Ｖｍの乱れを抑制することができる。更に、前述した通り、前記両送風部３３，３４が対称面Ｓを基準として面対称であることから、前記流通空間Ｐを通過する内側従気流Ｖｓｉは、前記第一送風部３３側と第二送風部３４側とでほぼ均等になる。同様に、外側従気流Ｖｓｏもまた、前記第一送風部３３側と第二送風部３４側とでほぼ均等になる。従って、従気流Ｖｓの発生に偏りが生じにくくすることができる。
【００４２】
なお、図１０では、説明の簡略化のために、前記第一送風部３３が発生させる主気流Ｖｍ及び従気流Ｖｓのみを記載したが、前記第二送風部３４においても、同様に主気流Ｖｍ及び従気流Ｖｓが発生する。
【００４３】
以上のように、本実施形態の送風機３１は、第一吸入口４１と第一吹出口４２を有する第一ファンケーシング３８内に第一横断流ファン３９を収容して構成された第一送風部３３と、第二吸入口５１と第二吹出口５２を有する第二ファンケーシング４８内に第二横断流ファン４９を収容して構成された第二送風部３４とを、所定の間隔Ｇを置いて設け、前記第一吹出口４２と第二吹出口５２とを何れも正面側に開口するように設けると共に、前記第一吹出口４２及び第二吹出口５２の下流側である前方にそれぞれ第一導流面４３及び第二導流面５３を設けたことで、両横断流ファン３９，４９が発生させた主気流Ｖｍが、両吹出口４２，５２から前方に吹き出した後、コアンダ効果によって両導流面４３，５３に沿って流れると共に、主気流Ｖｍに伴って従気流Ｖｓが両送風部３３，３４間の流通空間Ｐ及び両送風部３３，３４の外側において発生するので、主気流Ｖｍよりも多くの流量の風を送ることができると共に、騒音を低く抑えることができ、更に、床Ｆ等の設置面上の塵埃を撒き散らしにくくすることができるものである。
【００４４】
また、対称面Ｓを基準として、前記第一送風部３３と第二送風部３４とを実質的に面対称とすると共に、前記両送風部３３，３４間を、前後に開放した流通空間Ｐとすることで、前記両送風部３３，３４間の流通空間Ｐにおいて従気流Ｖｓの発生に偏りが生じにくくすることができるばかりでなく、前記流通空間Ｐの上流側から外気が流入して下流側に流れるので、効率よく従気流Ｖｓを発生させることができるものである。
【００４５】
更に、本実施形態における効果として、前記第一導流面４３の反対称面Ｓ側に近接して、対称面Ｓとほぼ平行な第一案内面４５を設けると共に、前記第二導流面５３の反対称面Ｓ側に近接して、対称面Ｓとほぼ平行な第二案内面５５を設けることで、両送風部３３，３４の外側で発生した外側従気流Ｖｓｏを、前記両導流面４３，５３に沿って排出される主気流Ｖｍとスムーズに合流させることができるばかりでなく、両導流面４３，５３の端部における主気流Ｖｍの乱れを抑制することができるものである。
【００４６】
次に、本発明の第三の実施形態について、図１１乃至図１５に基づいて説明する。６１は本発明の送風機である。この送風機６１は、基部６２と、送風部６３と、隔壁６４と、頭部６５とを有して構成される。なお、前記送風部６３及び隔壁６４は、縦長に構成される。また、前記隔壁６４は、前記送風部６３の正面視右側に間隔Ｇを開けて設けられる。そして、前記送風部６３と隔壁６４との間には、前後に貫通した流通空間Ｐが形成される。
【００４７】
前記基部６２は、床Ｆ等の設置面に設置されるように構成される。また、前記基部６２内には、電動機６６が収容される。
【００４８】
前記送風部６３は、前記基部６２の上部に設けられる。そして、前記送風部６３は、縦長のファンケーシング６７及び横断流ファン６８を有する。前記ファンケーシング６７は、内部にファン収容室６９を有すると共に、縦長の吸入口７０及び縦長の吹出口７１を有する。なお、前記吸入口７０は、前記ファンケーシング６７の後部において、正面視で左側（反隔壁６４側）に偏って設けられる。一方、前記吹出口７１は、前記ファンケーシング６７と隔壁６４との間隔Ｇが最も狭くなる位置よりもやや上流側（即ち後方）において、前方に向けて開口する。そして、前記吹出口７１の下流側（即ち前方）には、縦長の導流面７２が形成される。また、前記吹出口７１には、気流を前記導流面７２に導くための導向部７３が形成される。更に、前記導流面７２は、正面視で前記吹出口７１の左側（反隔壁６４側）に設けられる。また、前記導流面７２は、前記隔壁６４との間隔が前方ほど広がると共に、先端において主気流Ｖｍがほぼ真正面に向けて流れるように、上流側が凸状で下流側が凹状となる滑らかな曲面に形成される。更に、正面視で前記導流面７２の左側（反隔壁６４側）には、案内面７４が近接して形成される。なお、この案内面７４は、前後方向に形成される。そして、前記ファン収容室６９内に、前記横断流ファン６８が収容される。この横断流ファン６８は、複数のフィンが環状に並べられて、全体として細長い円筒状に形成され、回転軸Ｘ５が垂直となるように設けられると共に、前記基部６２内の電動機６６に接続される。なお、前記吸入口７０には、使用者の指等が前記横断流ファン６８に触れないようにするためのルーバ７５が設けられる。また、前記導流面７２は、前記吹出口７１の回転軸Ｘ５側に設けられると共に、前記導向部７３は、前記吹出口７１の遠心側に設けられる。
【００４９】
なお、前記吸入口７０は、本実施形態のように、反隔壁６４側を向くように開口するのが好ましい。これは、反隔壁６４側から前記吸入口７０に主気流Ｖｍとして外気を吸引すれば、前記送風機７１の後方の広い範囲から、前記ファンケーシング６７と隔壁６４の間に規定された流通空間Ｐに、より多くの空気を内側従気流Ｖｓｉとして吸引することができるからである。
【００５０】
前記頭部６５は、前記送風部６３及び隔壁６４の上端部に設けられる。そして、前記頭部６５には、操作部２８が設けられる。
【００５１】
次に、本実施形態の作用について説明する。使用者が前記操作部２８を操作して、前記送風機６１の運転を開始すると、前記電動機６６が作動する。この電動機６６が作動することによって、前記送風部６３の横断流ファン６８が、回転軸Ｘ５を中心に回転する。なお、前記横断流ファン６８は、平面視で右回りに回転する。前記横断流ファン６８が回転することで、外気が前記吸入口７０から吸引され、吹出口７１から勢いよく吹き出す。この吹出口７１から吹き出した気流は、図１３に示すように、コアンダ効果によって、前記流通空間Ｐ内で前記導流面７２に沿って一旦やや右向きに流れた後、滑らかに方向を変え、前記導流面７２に沿って左側に流れ、更に、前記導流面７２の先端付近において、ほぼ真正面に流れる。なお、前記吹出口７１から吹き出す気流は、前記導向部７３によって前記導流面７２に向けられるので、この導流面７２に確実に沿わせることができる。このように、前記送風部６３が、主気流Ｖｍを発生させる。
【００５２】
なお、前述した通り、前記吸入口７０が縦長に形成されるので、外気が上下方向の広い範囲から吸引される。このため、床Ｆ等の設置面上にある塵埃が多く吸引されて捲き散らかされるということがない。また、前記主気流Ｖｍの発生源が、比較的動作音の小さな前記横断流ファン６８であることから、騒音を低く抑えることができる。更に、前述した通り、前記吸入口７０が、正面視で左側（即ち反隔壁６４側）に偏って設けられることで、前記横断流ファン６８は、後方斜め左側から外気を吸引する。
【００５３】
そして、前記送風部６３が主気流Ｖｍを発生させることで、この主気流Ｖｍに伴って、従気流Ｖｓが発生する。この従気流Ｖｓは、前記流通空間Ｐを流通する内側従気流Ｖｓｉと、前記送風部６３の外側を流通する外側従気流Ｖｓｏとからなる。そして、前述した通り、前記横断流ファン６８が、後方斜め左側（反隔壁６４側）から外気を吸引するので、前記流通空間Ｐの後方の外気が、前記吸入口７０から吸引されず、内側従気流Ｖｓｉとして前記流通空間Ｐを通過することができる。また、前記導流面７２に沿って前記主気流Ｖｍが流れることで、前記導流面７２に沿う主気流Ｖｍに引きずられるように、前記内側従気流Ｖｓｉが発生する。同時に、前記導流面７２に沿って前記主気流Ｖｍが流れることで、前記流通空間Ｐの最狭部よりも下流側に低圧領域が作り出され、前記流通空間Ｐの上流側（即ち後方）から流通空間Ｐに外気が流入する。このように、前記導流面７２に沿って前記主気流Ｖｍが流れることで、前記吹出口７１から吹き出されるだけの場合に比べ、大きな風量を発生させることができる。また、前述した通り、前記導流面７２の正面視左側（即ち前記ファンケーシング６７の外側）に、案内面７４を近接して設けたことで、前記ファンケーシング６７の外側で発生した外側従気流Ｖｓｏが前記案内面７４に沿って流れるので、外側従気流Ｖｓｏを前記導流面７２に沿って排出される主気流Ｖｍとスムーズに合流させることができるばかりでなく、導流面７２の先端部における主気流Ｖｍの乱れを抑制することができる。
【００５４】
以上のように、本実施形態の送風機６１は、吸入口７０及び吹出口７１を有するファンケーシング６７内に横断流ファン６８を収容して構成された送風部６３を有し、前記吹出口７１を正面側に開口するように設けると共に、前記吹出口７１の下流側に導流面７２を設けたことで、前記横断流ファン６８が発生させた主気流Ｖｍが、前記吹出口７１から前方に吹き出した後、コアンダ効果によって前記導流面７２に沿って流れると共に、主気流Ｖｍに伴って従気流Ｖｓが前記送風部６３の流通空間Ｐ及び前記送風部６３の外側において発生するので、主気流Ｖｍよりも多くの流量の風を送ることができると共に、騒音を低く抑えることができ、更に、床Ｆ等の設置面上の塵埃を撒き散らしにくくすることができるものである。
【００５５】
また、前記送風部６３に対し間隔Ｇを空けて隔壁６４を設けると共に、前記送風部６３と隔壁６４との間を、前後に開放した流通空間Ｐとしたことで、この流通空間Ｐの上流側から外気が流入して下流側に流れるので、効率よく従気流を発生させることができるものである。
【００５６】
更に、前記吹出口７１を、前記送風部６３と隔壁６４との間隔Ｇが最狭となる位置よりも上流で開放させることで、前記導流面７２に沿って流れる主気流Ｖｍが内側従気流Ｖｓｉを引き込み易くすると共に、前記流通空間Ｐの最狭部よりも下流側に低圧領域が作り出されるので、効率的に従気流Ｖｓｉを発生させることができるものである。
【００５７】
また、本実施形態における効果として、前記吸入口７０を、後方斜め左向き（即ち反隔壁６４側）に設けることで、前記流通空間Ｐの後方の空気が前記吸引口７０から吸引されにくくできるので、前記流通空間Ｐの後方からより多くの空気を内側従気流Ｖｓｉとして前方に送ることで、流量をより増大させることができるものである。
【００５８】
更に、本実施形態における効果として、前記導流面７２の左側（反隔壁６４側）に近接して、前後方向に形成された案内面７４を設けることで、前記送風部６３の外側で発生した外側従気流Ｖｓｏを、前記導流面７２に沿って排出される主気流Ｖｍとスムーズに合流させることができるばかりでなく、前記導流面７２の端部における主気流Ｖｍの乱れを抑制することができるものである。
【００５９】
次に、本発明の第四の実施形態について、図１６乃至図２０に基づいて説明する。８１は本発明の送風機である。この送風機８１は、基部８２と、送風部８３と、左右一対の隔壁８４，８５と、頭部８６とを有して構成される。なお、前記送風部８３及び両隔壁８４，８５は、縦長に構成される。また、前記両隔壁８４，８５は、前記送風部８３の左右両側に、それぞれ間隔Ｇを開けて設けられる。そして、前記送風部８３と両隔壁８４，８５との間には、前後に貫通した流通空間ＰＬ，ＰＲが形成される。また、前記送風部８３と両隔壁８４，８５は、対称面Ｓを基準として、実質的に面対称となる。
【００６０】
前記基部８２は、床Ｆ等の設置面に設置されるように構成される。また、前記基部８２内には、第一電動機８７及び第二電動機８８が収容される。
【００６１】
前記送風部８３は、前記基部８２の上部に設けられる。そして、前記送風部８３は、縦長のファンケーシング８９、第一横断流ファン９０及び第二横断流ファン９１を有する。前記ファンケーシング８９は、内部に第一ファン収容室９２及び第二ファン収容室９３を有すると共に、縦長の第一吸入口９４、第二吸入口９５、及び縦長の第一吹出口９６、第二吹出口９７を有する。前記第一吹出口９６及び第二吹出口９７は、前記送風部８３と両隔壁８４，８５との間隔Ｇが最も狭くなる位置よりもやや上流側（即ち後方）において、前方に向けて開口する。そして、前記第一吹出口９６の下流側（即ち前方）には、第一導流面９８が形成される。一方、前記第二吹出口９７の下流側（即ち前方）には、第二導流面９９が形成される。また、前記第一吹出口９６には、気流を前記第一導流面９８に導くための第一導向部１００が形成される。一方、前記第二吹出口９７には、気流を前記第二導流面９９に導くための第二導向部１０１が形成される。そして、前記第一導流面９８は、前記第一吹出口９６の対称面Ｓ側に設けられる。同様に、前記第二導流面９９は、前記第二吹出口９７の対称面Ｓ側に設けられる。また、前記第一導流面９８は、前記隔壁８４との間隔が前方ほど広がると共に、先端において主気流Ｖｍがほぼ真正面に向けて流れるように、上流側が凸状で下流側が凹状となる滑らかな曲面に形成される。同様に、前記第二導流面９９は、前記隔壁８５との間隔が前方ほど広がると共に、先端において主気流Ｖｍがほぼ真正面に向けて流れるように、上流側が凸状で下流側が凹状となる滑らかな曲面に形成される。そして、前記第一ファン収容室９２内に、前記第一横断流ファン９０が収容される。この第一横断流ファン９０は、複数のフィンが環状に並べられて、全体として細長い円筒状に形成され、回転軸Ｘ６が垂直となるように設けられると共に、前記基部８２内の第一電動機８７に接続される。同様に、前記第二ファン収容室９３内に、前記第二横断流ファン９１が収容される。この第二横断流ファン９１は、複数のフィンが環状に並べられて、全体として細長い円筒状に形成され、回転軸Ｘ７が垂直となるように設けられると共に、前記基部８２内の第二電動機８８に接続される。なお、両横断流ファン９０，９１は、左右に並んで平行に設けられる。そして、前記両吸入口９４，９５には、使用者の指等が前記両横断流ファン９０，９１に触れないようにするためのルーバ１０２，１０３が設けられる。また、前記第一導流面９８は、前記第一吹出口９６の回転軸Ｘ６側に設けられると共に、前記第一導向部１００は、前記第一吹出口９６の遠心側に設けられる。同様に、前記第二導流面９９は、前記第二吹出口９７の回転軸Ｘ７側に設けられると共に、前記第二導向部１０１は、前記第二吹出口９７の遠心側に設けられる。
【００６２】
前述した通り、前記送風部８３と隔壁８４，８５は、対称面Ｓを基準として、実質的に面対称となる。具体的には、前記ファンケーシング８９は、前記第一吹出口９６が、対称面Ｓに対し左側に形成され、前記第二吹出口９７が、対称面Ｓ側に対し右側に形成される。また、前記ファンケーシング８９は、前記第一導流面９８が、前記第一吹出口９６の反対称面Ｓ側である左側から対称面Ｓ側である右側に向けて、湾曲して形成されるのに対し、前記第二導流面９９が、前記第二吹出口９７の反対称面Ｓ側である左側から対称面Ｓ側である左側に向けて、湾曲して形成される。また、前記第一横断流ファン９０と第二横断流ファン９１も、対称面Ｓを基準として実質的に面対称となる（なお、前記第一横断流ファン９０と第二横断流ファン９１の位相差は考慮しない。）。即ち、前記第一横断流ファン９０と第二横断流ファン９１は、フィンの形成方向が逆であると共に、前記第一横断流ファン９０の回転方向が平面視で左回りであり、前記第二横断流ファン９１の回転方向が平面視で右回りである。
【００６３】
前記頭部８６は、前記送風部８３及び隔壁８４，８５の上端部に設けられる。そして、前記頭部８６には、操作部２８が設けられる。
【００６４】
次に、本実施形態の作用について説明する。使用者が前記操作部２８を操作して、前記送風機８１の運転を開始すると、前記両電動機８７，８８が作動する。これらの電動機８７，８８が作動することによって、前記送風部８３の両横断流ファン９０，９１が、回転軸Ｘ６，Ｘ７を中心に回転する。前述した通り、前記第一横断流ファン９０は、平面視で左回りに回転する。これに対し、前記第二横断流ファン９１は、平面視で右回りに回転する。なお、前記第一横断流ファン９０の回転数は、前記第二横断流ファン９１の回転数と同じである。前記第一横断流ファン９０が回転することで、外気が前記第一吸入口９４から吸引され、第一吹出口９６から勢いよく吹き出す。この第一吹出口９６から吹き出した気流は、図１８に示すように、コアンダ効果によって、前記流通空間ＰＬ内で前記第一導流面９８に沿って一旦やや内向きに流れた後、滑らかに方向を変え、前記第一導流面９８に沿って外側に流れ、更に、前記第一導流面９８の先端付近において、ほぼ真正面に流れる。なお、前記第一吹出口９６から吹き出す気流は、前記第一導向部１００によって前記第一導流面９８に向けられるので、この第一導流面９８に確実に沿わせることができる。同様に、前記第二横断流ファン９１が回転することで、外気が前記第二吸入口９５から吸引され、第二吹出口９７から勢いよく吹き出す。この第二吹出口９７から吹き出した気流も、図１８に示すように、コアンダ効果によって、前記流通空間ＰＲ内で前記第二導流面９９に沿って一旦やや内向きに流れた後、滑らかに方向を変え、前記第二導流面９９に沿って外側に流れ、更に、前記第二導流面９９の先端付近において、ほぼ真正面に流れる。なお、前記第二吹出口９７から吹き出す気流も、前記第二導向部１０１によって前記第二導流面９９に向けられるので、この第二導流面９９に確実に沿わせることができる。このように、前記送風部８３が、前記流通空間ＰＬ，ＰＲにそれぞれ主気流Ｖｍを発生させる。
【００６５】
なお、前述した通り、前記両吸入口９４，９５が、それぞれ縦長に形成されるので、外気が上下方向の広い範囲から吸引される。このため、床Ｆ等の設置面上にある塵埃が多く吸引されて捲き散らかされるということがない。また、前記主気流Ｖｍの発生源が、比較的動作音の小さな前記両横断流ファン９０，９１であることから、騒音を低く抑えることができる。
【００６６】
そして、前記送風部８３が、前記流通空間ＰＬ，ＰＲにそれぞれ主気流Ｖｍを発生させることで、これらの主気流Ｖｍに伴って、従気流Ｖｓが発生する。即ち、前記両導流面９８，９９に沿ってそれぞれ前記主気流Ｖｍが流れることで、前記両導流面９８，９９に沿う主気流Ｖｍに引きずられるように、前記流通空間ＰＬ，ＰＲにそれぞれ前記従気流Ｖｓが発生する。同時に、前記両導流面９８，９９に沿って前記主気流Ｖｍが流れることで、前記流通空間ＰＬ，ＰＲの最狭部よりも下流側に低圧領域が作り出され、前記流通空間ＰＬ，ＰＲの上流側（即ち後方）から流通空間ＰＬ，ＰＲに外気が流入する。このように、前記両導流面９８，９９に沿って前記主気流Ｖｍが流れることで、前記各吹出口９６，９７から吹き出されるだけの場合に比べ、大きな風量を発生させることができる。なお、前述した通り、前記両導流面９８，９９に沿って流れる前記主気流Ｖｍが、前記両導流面９８，９９の先端付近においてほぼ真正面に流れるので、前記両導流面９８，９９の前方で前記主気流Ｖｍ同士をスムーズに合流させて、前記主気流Ｖｍの乱れを抑制することができる。更に、前述した通り、前記送風部８３及び隔壁８４，８５が対称面Ｓを基準として面対称であることから、前記流通空間ＰＬ，ＰＲを通過する従気流Ｖｓは、前記流通空間ＰＬ側とＰＲ側とでほぼ均等になる。従って、前記従気流Ｖｓの発生に偏りが生じにくくすることができる。
【００６７】
なお、図２０では、説明の簡略化のために、前記流通空間ＰＲを流れる主気流Ｖｍ及び従気流Ｖｓのみを記載したが、前記流通空間ＰＬにおいても、同様に前記主気流Ｖｍ及び従気流Ｖｓが発生する。
【００６８】
以上のように、本実施形態の送風機８１は、第一吸入口９４と第２吸入口９５及び第一吹出口９６と第二吹出口９７を有するファンケーシング８９内に第一横断流ファン９０及び第二横断流ファン９１を収容して構成された送風部８３を有し、前記第一吹出口９６と第二吹出口９７とを何れも正面側に開口するように設けると共に、前記第一吹出口９６及び第二吹出口９７の下流側である前方にそれぞれ第一導流面９８及び第二導流面９９を設けたことで、両横断流ファン９０，９１が発生させた主気流Ｖｍが、両吹出口９６，９７から前方に吹き出した後、コアンダ効果によって両導流面９８，９９に沿って流れると共に、前記主気流Ｖｍに伴って従気流Ｖｓが発生するので、前記主気流Ｖｍよりも多くの流量の風を送ることができると共に、騒音を低く抑えることができ、更に、床Ｆ等の設置面上の塵埃を撒き散らしにくくすることができるものである。
【００６９】
また、前記送風部８３に対し間隔を空けて隔壁８４，８５を設けると共に、前記送風部８３と隔壁８４，８５との間を、前後に開放した流通空間ＰＬ，ＰＲとしたことで、これらの流通空間ＰＬ，ＰＲの上流側から外気が流入して下流側に流れるので、効率よく前記従気流Ｖｓを発生させることができる。
【００７０】
また、前記第一吹出口９６及び第二吹出口９７を、前記送風部８３と隔壁８４，８５との間隔が最狭となる位置よりも上流で開放させることで、前記両導流面９８，９９に沿って流れる主気流Ｖｍが従気流Ｖｓを引き込み易くすると共に、前記流通空間ＰＬ，ＰＲの最狭部よりも下流側に低圧領域が作り出されるので、効率的に従気流Ｖｓを発生させることができるものである。
【００７１】
また、本実施形態における効果として、対称面Ｓを基準として、前記送風部８３と隔壁８４，８５とを実質的に面対称とすると共に、前記送風部８３と隔壁８４，８５との間を、前後に開放した流通空間ＰＬ，ＰＲとすることで、前記流通空間ＰＬ，ＰＲにおいて前記従気流Ｖｓの発生に偏りが生じにくくすることができるばかりでなく、前記流通空間ＰＬ，ＰＲの上流側から外気が流入して下流側に流れるので、効率よく前記従気流Ｖｓを発生させることができる。
【００７２】
更に、本実施形態における効果として、前記両導流面９８，９９に沿って流れる前記主気流Ｖｍが、前記両導流面９８，９９の先端付近においてほぼ真正面に流れるように、前記両導流面９８，９９を形成したので、前記両導流面９８，９９の前方で前記主気流Ｖｍ同士をスムーズに合流させて、前記主気流Ｖｍの乱れを抑制することができる。
【００７３】
次に、本発明の第五の実施形態について、図２１乃至図２５に基づいて説明する。１１１は本発明の送風機である。この送風機１１１は、基部１１２と、送風部１１３と、左右一対の隔壁１１４，１１５と、頭部１１６とを有して構成される。なお、前記送風部１１３及び両隔壁１１４，１１５は、縦長に構成される。また、前記両隔壁１１４，１１５は、前記送風部１１３の左右両側に、それぞれ間隔Ｇを開けて設けられる。そして、前記送風部１１３と両隔壁１１４，１１５との間には、前後に貫通した流通空間ＰＬ，ＰＲが形成される。また、前記送風部１１３の外面と両隔壁１１４，１１５は、対称面Ｓを基準として、実質的に面対称となる。
【００７４】
前記基部１１２は、床Ｆ等の設置面に設置されるように構成される。また、前記基部１１２内には、電動機１１７が収容される。
【００７５】
前記送風部１１３は、前記基部１１２の上部に設けられる。そして、前記送風部１１３は、縦長の導流フィン１１８、縦長のファンケーシング１１９、及び横断流ファン１２０を有する。前記ファンケーシング１１９は、内部にファン収容室１２１を有すると共に、縦長の吸入口１２２及び縦長の吹出口１２３を有する。前記吹出口１２３は、前記ファンケーシング１１９の正面中央において、前方に向けて開口する。なお、前記吹出口１２３は、前記両隔壁１１４，１１５同士の間隔が最も狭くなる位置よりもやや上流側（即ち後方）において、前方に向けて開口する。また、前記吹出口１２３は、その前端において、主気流Ｖｍが対称面Ｓと平行に噴出するように形成される。前記導流フィン１１８は、前記吹出口１２３の正面に配置される。なお、この吹出口１２３の幅は、前記導流フィン１１８の最厚部の幅よりも小さい。従って、前記吹出口１２３は、正面視で前記導流フィン１１８に隠れて見えない。また、前記導流フィン１１８の最厚部の前後方向位置は、前記両隔壁１１４，１１５同士の最狭部の前後方向位置とほぼ同じである。前記導流フィン１１８は、断面が略左右対称の流線形である。即ち、この導流フィン１１８は、その左右それぞれに、上流側となる後端部から下流側となる最厚部にかけて滑らかに幅が広がると共に、上流側となる最厚部から下流側となる前端部にかけて滑らかに幅が狭くなる第一導流面１２４及び第二導流面１２５を有する。これらの導流面１２４，１２５は、前記隔壁１１４，１１５との間隔が前方ほど広がると共に、先端において主気流Ｖｍがほぼ真正面に向けて流れるように、上流側が凸状で下流側が凹状となる滑らかな曲面に形成される。また、前記ファンケーシング１１９の側面１２６，１２７は、前記吹出口１２３よりも前方への延長面が前記導流フィン１１８の導流面１２４，１２５と交差するように形成される。なお、前記ファンケーシング１１９は、前記側面１２６が、後方から前方に向かうに従って対称面Ｓに近づくように、右に向かって滑らかに湾曲するのに対し、前記側面１２７が、後方から前方に向かうに従って対称面Ｓに近づくように、左に向かって滑らかに湾曲するように形成される。このようにして、前記ファンケーシング１１９の外面、即ち前記側面１２６，１２７は、対称面Ｓを基準として面対称に形成される。
【００７６】
一方、前記隔壁１１４の内壁１２８と前記隔壁１１５の内壁１２９は、上流側である後端部から下流側である最狭部に向かうに従って対称面Ｓに近づくと共に、上流側である最狭部から下流側である前端部に向かうに従って対称面Ｓから離れるように、滑らかに湾曲する。なお、前記両内壁１２８，１２９は、最狭部の前後において、従気流Ｖｓが主気流Ｖｍと滑らかに合流するように、凸曲面状に形成される。また、前記両内壁１２８，１２９は、先端部付近において、従気流Ｖｓがほぼ正面に向けて流れるように、凹曲面状に形成される。そして、前記両内壁１２８，１２９は、前述した凸曲面部と凹曲面部とを滑らかに繋ぐように形成される。このようにして、前記隔壁１１４と隔壁１１５は、対称面Ｓを基準として面対称に形成される。
【００７７】
そして、前記ファン収容室１２１内に、前記横断流ファン１２０が収容される。この横断流ファン１２０は、複数のフィンが環状に並べられて、全体として細長い円筒状に形成され、回転軸Ｘ８が垂直となるように設けられると共に、前記基部１１２内の電動機１１７に接続される。そして、前記吸入口１２２には、使用者の指等が前記横断流ファン１２０に触れないようにするためのルーバ１３０が設けられる。
【００７８】
前記頭部１１６は、前記送風部１１３及び隔壁１１４，１１５の上端部に設けられる。そして、前記頭部１１６には、操作部２８が設けられる。
【００７９】
次に、本実施形態の作用について説明する。使用者が前記操作部２８を操作して、前記送風機１１１の運転を開始すると、前記電動機１１７が作動する。この電動機１１７が作動することによって、前記送風部１１３の横断流ファン１２０が、回転軸Ｘ８を中心に回転する。前記横断流ファン１２０が回転することで、外気が前記吸入口１２２から吸引され、吹出口１２３から勢いよく吹き出す。この吹出口１２３から吹き出した気流のうち、左側の部分は、図２３に示すように、コアンダ効果によって、前記流通空間ＰＬ内で前記導流フィン１１８の第一導流面１２４に沿って一旦やや外向きに流れた後、滑らかに方向を変え、前記第一導流面１２４に沿って内側に流れ、更に、前記第一導流面１２４の先端付近において、ほぼ真正面に流れる。同様に、前記吹出口１２３から吹き出した気流のうち、右側の部分は、コアンダ効果によって、前記流通空間ＰＲ内で前記導流フィン１１８の第二導流面１２５に沿って一旦やや外向きに流れた後、滑らかに方向を変え、前記第二導流面１２５に沿って内側に流れ、更に、前記第二導流面１２５の先端付近において、ほぼ真正面に流れる。このように、前記送風部１１３が、前記流通空間ＰＬ，ＰＲにそれぞれ主気流Ｖｍを発生させる。
【００８０】
なお、前述した通り、前記吸入口１２２が縦長に形成されるので、外気が上下方向の広い範囲から吸引される。このため、床Ｆ等の設置面上にある塵埃が多く吸引されて捲き散らかされるということがない。また、前記主気流Ｖｍの発生源が、比較的動作音の小さな前記横断流ファン１２０であることから、騒音を低く抑えることができる。
【００８１】
そして、前記送風部１１３が、前記流通空間ＰＬ，ＰＲにそれぞれ主気流Ｖｍを発生させることで、これらの主気流Ｖｍに伴って、従気流Ｖｓが発生する。即ち、前記両導流面１２４，１２５に沿ってそれぞれ前記主気流Ｖｍが流れることで、前記両導流面１２４，１２５に沿う主気流Ｖｍに引きずられるように、前記流通空間ＰＬ，ＰＲにそれぞれ前記従気流Ｖｓが発生する。同時に、前記両導流面１２４，１２５に沿って前記主気流Ｖｍが流れることで、前記流通空間ＰＬ，ＰＲの最狭部よりも下流側に低圧領域が作り出され、前記流通空間ＰＬ，ＰＲの上流側（即ち後方）から流通空間ＰＬ，ＰＲに外気が流入する。このように、前記両導流面１２４，１２５に沿って前記主気流Ｖｍが流れることで、前記吹出口１２３から吹き出されるだけの場合に比べ、大きな風量を発生させることができる。なお、前述した通り、前記両導流面１２４，１２５に沿って流れる前記主気流Ｖｍが、前記両導流面１２４，１２５の先端付近においてほぼ真正面に流れるので、前記両導流面１２４，１２５の前方で前記主気流Ｖｍ同士をスムーズに合流させて、前記主気流Ｖｍの乱れを抑制することができる。更に、前述した通り、前記送風部１２３の外面及び隔壁１１４，１１５が対称面Ｓを基準として面対称であることから、前記流通空間ＰＬ，ＰＲを通過する従気流Ｖｓは、前記流通空間ＰＬ側とＰＲ側とでほぼ均等になる。従って、前記従気流Ｖｓの発生に偏りが生じにくくすることができる。
【００８２】
なお、図２５では、説明の簡略化のために、前記流通空間ＰＬを流れる主気流Ｖｍ及び従気流Ｖｓのみを記載したが、前記流通空間ＰＲにおいても、同様に前記主気流Ｖｍ及び従気流Ｖｓが発生する。
【００８３】
以上のように、本実施形態の送風機１１１は、吸入口１２２及び吹出口１２３を有するファンケーシング１１９内に横断流ファン１２０を収容して構成された送風部１１３を有し、前記吹出口１２３を正面側に開口するように設けると共に、前記吹出口１２３の下流側である前方にそれぞれ第一導流面１２４及び第二導流面１２５を有する導流フィン１１８を設けたことで、前記横断流ファン１２０が発生させた主気流Ｖｍが、前記吹出口１２３から前方に吹き出した後、コアンダ効果によって前記両導流面１２４，１２５に沿って流れると共に、前記主気流Ｖｍに伴って従気流Ｖｓが発生するので、前記主気流Ｖｍよりも多くの流量の風を送ることができると共に、騒音を低く抑えることができ、更に、床Ｆ等の設置面上の塵埃を撒き散らしにくくすることができるものである。
【００８４】
また、前記送風部１１３に対し間隔を空けて隔壁１１４，１１５を設けると共に、前記送風部１１３と隔壁１１４，１１５との間を、前後に開放した流通空間ＰＬ，ＰＲとしたことで、これらの流通空間ＰＬ，ＰＲの上流側から外気が流入して下流側に流れるので、効率よく前記従気流Ｖｓを発生させることができる。
【００８５】
また、前記吹出口１２３を、前記送風部１１３と隔壁１１４，１１５との間隔が最狭となる位置よりも上流で開放させることで、前記両導流面１２４，１２５に沿って流れる主気流Ｖｍが従気流Ｖｓを引き込み易くすると共に、前記流通空間ＰＬ，ＰＲの最狭部よりも下流側に低圧領域が作り出されるので、効率的に従気流Ｖｓを発生させることができるものである。
【００８６】
また、本実施形態における効果として、対称面Ｓを基準として、前記送風部１１３の外面と隔壁１１４，１１５とを実質的に面対称とすると共に、前記送風部１１３と隔壁１１４，１１５との間を、前後に開放した流通空間ＰＬ，ＰＲとすることで、前記流通空間ＰＬ，ＰＲにおいて前記従気流Ｖｓの発生に偏りが生じにくくすることができるばかりでなく、前記流通空間ＰＬ，ＰＲの上流側から外気が流入して下流側に流れるので、効率よく前記従気流Ｖｓを発生させることができる。
【００８７】
更に、本実施形態における効果として、前記両導流面１２４，１２５に沿って流れる前記主気流Ｖｍが、前記両導流面１２４，１２５の先端付近においてほぼ真正面に流れるように、前記両導流面１２４，１２５を形成したので、前記両導流面１２４，１２５の前方で前記主気流Ｖｍ同士をスムーズに合流させて、前記主気流Ｖｍの乱れを抑制することができる。
【００８８】
なお、本発明は以上の実施形態に限定されるものではなく、発明の要旨の範囲内で種々の変形実施が可能である。例えば、第三の実施形態では、正面視で左側に送風部を設けると共に、正面視で右側に隔壁を設けたが、逆であっても良い。また、第三の実施形態では、横断流ファンの回転軸が水平となるようにしても良い。
【符号の説明】
【００８９】
１，３１，６１，８１，１１１  送風機
３，３３  第一送風部（送風部）
４，３４  第二送風部（送風部）
８，３８  第一ファンケーシング（ファンケーシング）
９，３９，９０  第一横断流ファン（横断流ファン）
１１，４１，９４  第一吸入口（吸入口）
１２，４２，９６  第一吹出口（吹出口）
１３，４３，９８，１２４  第一導流面（導流面）
１８，４８  第二ファンケーシング（ファンケーシング）
１９，４９，９１  第二横断流ファン（横断流ファン）
２１，５１，９５  第二吸入口（吸入口）
２２，５２，９７  第二吹出口（吹出口）
２３，５３，９９，１２５  第二導流面（導流面）
６３，８３，１１３  送風部
６４，８４，８５，１１４，１１５  隔壁
６７，８９，１１９  ファンケーシング
６８，１２０  横断流ファン
７０，１２２  吸入口
７１，１２３  吹出口
７２  導流面
Ｇ  間隙
Ｓ  対称面
Ｖｍ  主気流
Ｖｓ  従気流
【図１】
2015197049.tif 000003
【図２】
2015197049.tif 000004
【図３】
2015197049.tif 000005
【図４】
2015197049.tif 000006
【図５】
2015197049.tif 000007
【図６】
2015197049.tif 000008
【図７】
2015197049.tif 000009
【図８】
2015197049.tif 000010
【図９】
2015197049.tif 000011
【図１０】
2015197049.tif 000012
【図１１】
2015197049.tif 000013
【図１２】
2015197049.tif 000014
【図１３】
2015197049.tif 000015
【図１４】
2015197049.tif 000016
【図１５】
2015197049.tif 000017
【図１６】
2015197049.tif 000018
【図１７】
2015197049.tif 000019
【図１８】
2015197049.tif 000020
【図１９】
2015197049.tif 000021
【図２０】
2015197049.tif 000022
【図２１】
2015197049.tif 000023
【図２２】
2015197049.tif 000024
【図２３】
2015197049.tif 000025
【図２４】
2015197049.tif 000026
【図２５】
2015197049.tif 000027